(57)【要約】　　　（修正有）【課題】容易に取り付けることができ、単純な構造で、安定性の良い、安価な可倒式手すりを提供する。【解決手段】２個以上の固定ブラケットを通路と実質ほぼ平行になるよう壁面に固定し、各固定ブラケットに共通の軸を中心として回転可動するように連接された可動ブラケットを取り付け、その可動ブラケットの他端に、複数の可動ブラケットを繋ぐように手すりを固着する。前記固定ブラケットと可動ブラケットとの共通軸心にはシャフトが複数の固定ブラケットをつないで軸方向に容易滑動するように貫通し、そのシャフトにはシャフト軸に平行にロックピンが固着され、そのロックピンにより手すり使用時及び収納時にワンタッチで簡単に手すりを固定できるようにした。【選択図】図１
0003098080.tif 000002
【実用新案登録請求の範囲】
【請求項１】
壁面（１）に固定するための取り付け手段を有する複数の固定ブラケ
ット（２）の各々に可動ブラケット（３）の１端が回動するように繋がれ、可動ブラケット（３）の他端には手摺り（４）が固着され、上記複数の固定ブラケット（２）と可動ブラケット（３）との可動軸中心にはシャフト（５）が貫通して配設され、シャフト（５）には固着手段（６）を介してシャフト（５）と並行してロックピン（７）が固着され、固定ブラケット（２）にはロックピン孔（１００）が、また可動ブラケット（３）にはロックピン孔（２００、２００’）が設けられたことを特徴とする可倒式手すり。
【考案の詳細な説明】
【０００１】
【考案の属する技術分野】本考案は可倒式手すりに関するもので、特に建物内の廊下又は通路の壁面に設置する手すりで、使用時には壁面から起こして使用し、不使用時には壁面側に倒して、廊下又は通路の通行に支障がないようにしたものである。
【０００２】
【従来の技術】手すりについては固定式のものと可倒（あるいは可動）式のものとがある。例えば可倒式手すりの例として特開平７−２０７８７０がある。この例を見ると本考案と同じような目的（すなわち使用しないときに壁側に収納し、使用する時には通路側に引き出す）であるが、この例の場合、手すり部を収納するための凹部をあらかじめ建物の壁面に備えておく必要があり、新築の場合は対応容易であるが、既存の建物に後からこの手すりを取り付けることは困難である。
【０００３】
【考案が解決しようとする課題】本考案は新築の場合はもとより、既存の建物の廊下の壁などに容易に取り付けることができ、単純な構造で、安定性の良い、且つ安価な可倒式手すりを提供するものである。
【０００４】
【課題を解決するための手段】
前記目的を解決するために、本考案においては２個以上の固定ブラケットを通路と実質ほぼ平行になるよう壁面に固定し、各固定ブラケットに共通の軸を中心として回転可動するように連接された可動ブラケットを取り付け、その可動ブラケットの他端に、複数の可動ブラケットを繋ぐように手すりを固着する。前記固定ブラケットと可動ブラケットとの共通軸心にはシャフトが複数の固定ブラケットをつないで軸方向に容易滑動するように貫通し、そのシャフトにはシャフト軸に平行にロックピンが固着され、そのロックピンにより手すり使用時及び収納時にワンタッチで簡単に手すりを固定できるようにしたものである。
【０００５】
【考案の実施の形態】この考案の実施の形態を図に基いて説明する。図１は本考案の要部正面図を示したものである。図２は要部側面図（図１のＹ−Ｙ’断面）を示したものである。又図３は全体構成図を示したもので図３−ａはロック解除時を示し、図３−ｂはロック時を示す。以下各々の図について説明する。図１、図２、図３において各番号は共通とする。１は廊下等の壁面、２は金属等でできた断面コ字状の固定ブラッケット、３は同じく金属等でできた可動ブラケットである。４は例えば木製の手すり棒、５はシャフト、６は固着板、７はロックピン、８はロックノブ、９はストッパー、１００は固定ブラケット２に設けられたロックピン用の貫通孔、２００、２００’は可動ブラケット３に設けられたロックピン用の貫通孔である。その他留めネジ等については表示を省略している。
【０００６】
【作用】図１、２、３に基づいて作用を説明する。壁面に取り付ける複数の固定ブラケット２の各々に可動するように連接された可動ブラケット３の端部側に手すり棒４をネジ等で固着し、複数の固定ブラケット２と可動ブラケット３との共通の可動軸孔に、シャフト５が貫通して連接され、該シャフト５の少なくとも一方にロックノブ８が固着され、一方シャフト５には固着板６によってロックピン７が固着され、固定ブラケット２には図１の１００で示すロックピン用貫通孔が設けられ、可動ブラケット３には同じく図２に示される２００、２００’のロックピン用貫通孔が設けられている。
【０００７】
手すりを使用するときには、ロックノブ８を押すか、または引くかしてロックピン７を可動ブラケットの孔２００’から引き抜いてはずし、手すり棒４を廊下側へ引き出し、再びロックノブ８を押すか引くかして可動ブラケット３の孔２００にロックピン７を挿入し固定する。手すり棒４を使用しないときには、同じような操作によってロックピン７を孔２００からはずして壁側に倒し、再度孔２００’にロックピン７を挿入してロックして収納する。手すりを収納した状態は図２の点線で示している。
【０００８】
なおロックピン７を可動部ブラケット３の孔２００又は２００’に挿入してロックする際、ロックピン７が挿入される穴の入り口がテーパー状になっており、ロックノブ８を押したときロックピン７が前記孔２００又は２００’に容易に挿入できるようにしている。
【０００９】
【実施例】本考案の実施例を述べれば、固定ブラケット２は３ｍｍ厚の軟鋼板を折り曲げ機械加工の上塗装処理したもので、可動ブラケット３はアルミニュウムの鋳物製で、厚さはシャフト孔のある個所で約３０ｍｍ、腕の部分の厚さは約１５ｍｍで腕の長さは約２５０ｍｍである。シャフト５はステンレス製丸棒で外径６ｍｍφ、長さ約１２００ｍｍである。又ロックピン７はステンレス製丸棒で外径４．５ｍｍφ、長さ約１２０ｍｍ、ロックノブ８は外形約６０ｍｍのプラスチック製である。
【００１０】
本考案の可倒手すりを取り付けた１例を示すと、手すり使用時の廊下の実質幅は約７２０ｍｍ、手すり収納時は７６０ｍｍである。
【００１１】
【考案の効果】本考案によれば、例えば車椅子に乗ったまま手すりを下に倒したり上に持ち上げて収納することが容易に可能である。そして、ロックピンにより確実に固定でき、非常に安全性に優れている。又機構が単純なので故障の発生などが少なく安価に製作できる。車椅子に乗った生活時には手すりを収納した状態で使用し、回復時の歩行訓練やリハビリ時には手すりを出して使用し病気や障害の症状の度合いにより使い分けることが出来る等多様な用途に使用できる。他の使用例として引越しの際などに家具や荷物の移動時にもより広い空間を確保することができるなどの利点がある。
【図面の簡単な説明】
【図１】可倒式手すり要部拡大図（正面図）
【図２】可倒式手すり要部拡大図（側面図）
【図３−ａ】可倒式手すり全体図ロック解除状態
【図３−ｂ】可倒式手すり全体図ロック状態
【符号の説明】
１・・・・壁
２・・・・固定ブラケット
３・・・・可動ブラケット
４・・・・手すり棒
５・・・・シャフト
６・・・・固着手段
７・・・・ロックピン
８・・・・ロックノブ
９・・・・ストッパー
１００・・固定ブラケットロックピン孔
２００、２００’・・可動ブラケットロックピン孔
【図１】
0003098080.tif 000003
【図２】
0003098080.tif 000004
【図３−ａ】
0003098080.tif 000005
【図３−ｂ】
0003098080.tif 000006